【手続補正書】
【提出日】平成30年10月17日(2018.10.17)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
送受信機と、
メモリと、
前記送受信機および前記メモリに通信可能に結合された少なくとも1つのプロセッサとを備え、前記少なくとも1つのプロセッサおよび前記メモリは、
前記送受信機が、単一の送信時間間隔(TTI)期間中に時分割複信(TDD)サブフレーム内で、第1のミッションクリティカル(MiCr)データを送信するための少なくとも1回の機会と、第2のMiCrデータを受信するための少なくとも1回の機会とを可能にするための命令を生成することであって、前記送信するための少なくとも1回の機会が、前記受信するための少なくとも1回の機会から少なくとも第1のパーティションによって分離される、ことと、
前記第1のMiCrデータの特性および前記第2のMiCrデータの特性のうちの1つまたは複数に基づき、前記第1のパーティションの位置を調整することと、
前記単一のTTI期間中に前記TDDサブフレーム内で前記第1のMiCrデータおよび前記第2のMiCrデータのうちの1つまたは複数を通信することと
を行うように構成される、装置。
【請求項２】
前記少なくとも1つのプロセッサおよび前記メモリが、
前記第1のMiCrデータおよび前記第2のMiCrデータのうちの1つまたは複数の特性に基づいて、前記第1のMiCrデータを送信するための前記少なくとも1回の機会について、どれだけの前記TDDサブフレームが構成されるか、および前記第2のMiCrデータを受信するための前記少なくとも1回の機会について、どれだけの前記TDDサブフレームが構成されるかを前記送受信機が調整するための命令を生成する
ようにさらに構成される、請求項1に記載の装置。
【請求項３】
前記TDDサブフレームが、ダウンリンク(DL)主体のTDDサブフレームを備え、前記DL主体のTDDサブフレームが、
前記第1のMiCrデータを送信するための前記少なくとも1回の機会を含む第1の部分と、
前記第1の部分に続くガード期間と、
前記ガード期間に続く第2の部分であって、前記第1の部分に対応し、前記第2のMiCrデータを受信するための前記少なくとも1回の機会を含む、第2の部分と
を備える、請求項1に記載の装置。
【請求項４】
前記TDDサブフレームが、アップリンク(UL)主体のTDDサブフレームを備え、前記UL主体のTDDサブフレームが、
前記第2のMiCrデータを受信するための前記少なくとも1回の機会のうちの第1の機会を含む第1の部分と、
前記第1の部分に続くガード期間と、
前記ガード期間に続く第2の部分であって、前記第1のMiCrデータを送信するための前記少なくとも1回の機会を含む、第2の部分と、
前記第2の部分に続く第3の部分であって、前記第2の部分に対応し、第3のMiCrデータを受信するための前記少なくとも1回の機会のうちの第2の機会を含む、第3の部分と
を備える、請求項1に記載の装置。
【請求項５】
前記少なくとも1つのプロセッサおよび前記メモリが、
前記送受信機が、前記第1のMiCrデータに対応するフィードバックメッセージの通信のために、周波数分割複信(FDD)キャリアまたはペアリングされたTDDキャリアを利用するための命令を生成する
ようにさらに構成される、請求項1に記載の装置。
【請求項６】
前記少なくとも1つのプロセッサおよび前記メモリが、
前記第1のMiCrデータの再送信のために、周波数分割複信(FDD)キャリアまたはペアリングされたTDDキャリアを前記送受信機が利用するための命令を生成する
ようにさらに構成される、請求項1に記載の装置。
【請求項７】
前記単一のTTIが、500マイクロ秒以下を含む、請求項1に記載の装置。
【請求項８】
前記第1のMiCrデータおよび前記第2のMiCrデータのうちの1つまたは複数が、前記TDDサブフレームに含まれる他のデータのレイテンシ要件よりも低いレイテンシ要件を有する他のデータを含む、請求項1に記載の装置。
【請求項９】
前記第1のMiCrデータおよび前記第2のMiCrデータのうちの1つまたは複数が、前記TDDサブフレームに含まれる他のデータの優先要件よりも高い優先要件を有するデータを含む、請求項1に記載の装置。
【請求項１０】
前記第1のMiCrデータおよび前記第2のMiCrデータのうちの1つまたは複数が、前記TDDサブフレームに含まれる他のデータの信頼性要件よりも高い信頼性要件を有するデータを含む、請求項1に記載の装置。
【請求項１１】
前記TDDサブフレームが、
前記TDDサブフレームの制御部分中の制御情報と、
前記TDDサブフレームのデータ部分中のデータ情報であって、前記制御情報に対応するデータ情報と、
前記TDDサブフレームの肯定応答部分中の肯定応答情報であって、前記データ情報に対応する肯定応答情報と
を備え、
前記制御部分、前記データ部分、および前記肯定応答部分は、同じTDDサブフレームに含まれる、請求項1に記載の装置。
【請求項１２】
ワイヤレス通信のための方法であって、
単一の送信時間間隔(TTI)期間中に時分割複信(TDD)サブフレーム内で、第1のミッションクリティカル(MiCr)データを送信するための少なくとも1回の機会と、第2のMiCrデータを受信するための少なくとも1回の機会とを送受信機が可能にするための命令を生成するステップであって、前記送信するための少なくとも1回の機会が、前記受信するための少なくとも1回の機会から少なくとも第1のパーティションによって分離される、ステップと、
前記第1のMiCrデータの特性および前記第2のMiCrデータの特性のうちの1つまたは複数に基づき、前記第1のパーティションの位置を調整するステップと、
前記単一のTTI期間中に前記TDDサブフレーム内で前記第1のMiCrデータおよび前記第2のMiCrデータのうちの1つまたは複数を通信するステップと
を含む、方法。
【請求項１３】
前記第1のMiCrデータおよび前記第2のMiCrデータのうちの1つまたは複数の特性に基づいて、前記第1のMiCrデータを送信するための前記少なくとも1回の機会について、どれだけの前記TDDサブフレームが構成されるか、および前記第2のMiCrデータを受信するための前記少なくとも1回の機会について、どれだけの前記TDDサブフレームが構成されるかを前記送受信機が調整するための命令を生成するステップ
をさらに含む、請求項12に記載の方法。
【請求項１４】
前記TDDサブフレームが、ダウンリンク(DL)主体のTDDサブフレームを備え、前記DL主体のTDDサブフレームが、
前記第1のMiCrデータを送信するための前記少なくとも1回の機会を含む第1の部分と、
前記第1の部分に続くガード期間と、
前記ガード期間に続く第2の部分であって、前記第1の部分に対応し、前記第2のMiCrデータを受信するための前記少なくとも1回の機会を含む、第2の部分と
を備える、請求項12に記載の方法。
【請求項１５】
前記TDDサブフレームが、アップリンク(UL)主体のTDDサブフレームを備え、前記UL主体のTDDサブフレームが、
前記第2のMiCrデータを受信するための前記少なくとも1回の機会のうちの第1の機会を含む第1の部分と、
前記第1の部分に続くガード期間と、
前記ガード期間に続く第2の部分であって、前記第1のMiCrデータを送信するための前記少なくとも1回の機会を含む、第2の部分と、
前記第2の部分に続く第3の部分であって、前記第2の部分に対応し、第3のMiCrデータを受信するための前記少なくとも1回の機会のうちの第2の機会を含む、第3の部分と
を備える、請求項12に記載の方法。
【請求項１６】
前記第1のMiCrデータに対応するフィードバックメッセージの通信のために、周波数分割複信(FDD)キャリアまたはペアリングされたTDDキャリアを前記送受信機が利用するための命令を生成するステップ、および
前記第1のMiCrデータの再送信のために、FDDキャリアまたはペアリングされたTDDキャリアを前記送受信機が利用するための命令を生成するステップ
のうちの少なくとも1つをさらに含む、請求項12に記載の方法。
【請求項１７】
前記単一のTTIが、500マイクロ秒以下であり、前記第1のMiCrデータおよび前記第2のMiCrデータのうちの少なくとも1つが、前記TDDサブフレームに含まれる他のデータのレイテンシ要件よりも低いレイテンシ要件、前記TDDサブフレームに含まれる前記他のデータの優先要件よりも高い優先要件、および前記TDDサブフレームに含まれる前記他のデータの信頼性要件よりも高い信頼性要件のうちの少なくとも1つを有するデータを含む、請求項12に記載の方法。
【請求項１８】
前記TDDサブフレームが、
前記TDDサブフレームの制御部分中の制御情報と、
前記TDDサブフレームのデータ部分中のデータ情報であって、前記制御情報に対応するデータ情報と、
前記TDDサブフレームの肯定応答部分中の肯定応答情報であって、前記データ情報に対応する肯定応答情報と
を備え、
前記制御部分、前記データ部分、および前記肯定応答部分は、同じTDDサブフレームに含まれる、請求項12に記載の方法。
【請求項１９】
ワイヤレス通信デバイスによって実行されるときに、前記デバイスに、
単一の送信時間間隔(TTI)期間中に時分割複信(TDD)サブフレーム内で、第1のミッションクリティカル(MiCr)データを送信するための少なくとも1回の機会と、第2のMiCrデータを受信するための少なくとも1回の機会とを可能にすることであって、前記送信するための少なくとも1回の機会が、前記受信するための少なくとも1回の機会から少なくとも第1のパーティションによって分離される、ことと、
前記第1のMiCrデータの特性および前記第2のMiCrデータの特性のうちの1つまたは複数に基づき、前記第1のパーティションの位置を調整することと、
前記単一のTTI期間中に前記TDDサブフレーム内で前記第1のMiCrデータおよび前記第2のMiCrデータのうちの1つまたは複数を通信することと
を行わせる命令を備える、コンピュータ可読記録媒体。
【請求項２０】
前記命令が、前記デバイスに、
前記第1のMiCrデータおよび前記第2のMiCrデータのうちの1つまたは複数の特性に基づいて、前記第1のMiCrデータを送信するための前記少なくとも1回の機会について、どれだけの前記TDDサブフレームが構成されるか、および前記第2のMiCrデータを受信するための前記少なくとも1回の機会について、どれだけの前記TDDサブフレームが構成されるかを調整することをさらに行わせる、請求項19記載のコンピュータ可読記録媒体。
【請求項２１】
前記TDDサブフレームが、ダウンリンク(DL)主体のTDDサブフレームを備え、前記DL主体のTDDサブフレームが、
前記第1のMiCrデータを送信するための前記少なくとも1回の機会を含む第1の部分と、
前記第1の部分に続くガード期間と、
前記ガード期間に続く第2の部分であって、前記第1の部分に対応し、前記第2のMiCrデータを受信するための前記少なくとも1回の機会を含む、第2の部分と
を備える、請求項19に記載のコンピュータ可読記録媒体。
【請求項２２】
前記TDDサブフレームが、アップリンク(UL)主体のTDDサブフレームを備え、前記UL主体のTDDサブフレームが、
前記第2のMiCrデータを受信するための前記少なくとも1回の機会のうちの第1の機会を含む第1の部分と、
前記第1の部分に続くガード期間と、
前記ガード期間に続く第2の部分であって、前記第1のMiCrデータを送信するための前記少なくとも1回の機会を含む、第2の部分と、
前記第2の部分に続く第3の部分であって、前記第2の部分に対応し、第3のMiCrデータを受信するための前記少なくとも1回の機会のうちの第2の機会を含む、第3の部分と
を備える、請求項19に記載のコンピュータ可読記録媒体。
【請求項２３】
前記命令が、前記デバイスに、
前記第1のMiCrデータに対応するフィードバックメッセージの通信のために、周波数分割複信(FDD)キャリアまたはペアリングされたTDDキャリアを利用すること、および
前記第1のMiCrデータの再送信のために、FDDキャリアまたはペアリングされたTDDキャリアを利用すること
のうちの少なくとも1つをさらに行わせる、請求項19に記載のコンピュータ可読記録媒体。
【請求項２４】
前記単一のTTIが、500マイクロ秒以下であり、前記第1のMiCrデータおよび前記第2のMiCrデータのうちの少なくとも1つが、前記TDDサブフレームに含まれる他のデータのレイテンシ要件よりも低いレイテンシ要件、前記TDDサブフレームに含まれる前記他のデータの優先要件よりも高い優先要件、または前記TDDサブフレームに含まれる前記他のデータの信頼性要件よりも高い信頼性要件のうちの少なくとも1つを有するデータを含む、請求項19に記載のコンピュータ可読記録媒体。
【請求項２５】
ワイヤレス通信のための装置であって、
単一の送信時間間隔(TTI)期間中に時分割複信(TDD)サブフレーム内で、第1のミッションクリティカル(MiCr)データを送信するための少なくとも1回の機会と、第2のMiCrデータを受信するための少なくとも1回の機会とを可能にするための手段であって、前記送信するための少なくとも1回の機会が、前記受信するための少なくとも1回の機会から少なくとも第1のパーティションによって分離される、手段と、
前記第1のMiCrデータの特性および前記第2のMiCrデータの特性のうちの1つまたは複数に基づき、前記第1のパーティションの位置を調整するための手段と、
前記単一のTTI期間中に前記TDDサブフレーム内で前記第1のMiCrデータおよび前記第2のMiCrデータのうちの1つまたは複数を通信するための手段と
を備える、装置。
【請求項２６】
前記第1のMiCrデータおよび前記第2のMiCrデータのうちの1つまたは複数の特性に基づいて、前記第1のMiCrデータを送信するための前記少なくとも1回の機会について、どれだけの前記TDDサブフレームが構成されるか、および前記第2のMiCrデータを受信するための前記少なくとも1回の機会について、どれだけの前記TDDサブフレームが構成されるかを調整するための手段
をさらに備える、請求項25に記載の装置。
【請求項２７】
前記TDDサブフレームが、ダウンリンク(DL)主体のTDDサブフレームを備え、前記DL主体のTDDサブフレームが、
前記第1のMiCrデータを送信するための前記少なくとも1回の機会を含む第1の部分と、
前記第1の部分に続くガード期間と、
前記ガード期間に続く第2の部分であって、前記第1の部分に対応し、前記第2のMiCrデータを受信するための前記少なくとも1回の機会を含む、第2の部分と
を備える、請求項25に記載の装置。
【請求項２８】
前記TDDサブフレームが、アップリンク(UL)主体のTDDサブフレームを備え、前記UL主体のTDDサブフレームが、
前記第2のMiCrデータを受信するための前記少なくとも1回の機会のうちの第1の機会を含む第1の部分と、
前記第1の部分に続くガード期間と、
前記ガード期間に続く第2の部分であって、前記第1のMiCrデータを送信するための前記少なくとも1回の機会を含む、第2の部分と、
前記第2の部分に続く第3の部分であって、前記第2の部分に対応し、第3のMiCrデータを受信するための前記少なくとも1回の機会のうちの第2の機会を含む、第3の部分と
を備える、請求項25に記載の装置。
【請求項２９】
前記第1のMiCrデータに対応するフィードバックメッセージの通信のために、周波数分割複信(FDD)キャリアまたはペアリングされたTDDキャリアを利用するための手段、および
前記第1のMiCrデータの再送信のために、FDDキャリアまたはペアリングされたTDDキャリアを利用するための手段
のうちの少なくとも1つをさらに備える、請求項25に記載の装置。
【請求項３０】
前記単一のTTIが、500マイクロ秒以下であり、前記第1のMiCrデータおよび前記第2のMiCrデータのうちの少なくとも1つが、前記TDDサブフレームに含まれる他のデータのレイテンシ要件よりも低いレイテンシ要件、前記TDDサブフレームに含まれる前記他のデータの優先要件よりも高い優先要件、または前記TDDサブフレームに含まれる前記他のデータの信頼性要件よりも高い信頼性要件のうちの少なくとも1つを有するデータを含む、請求項25に記載の装置。